(57)【要約】      （修正有）【課題】小型化、収差性能の確保を行いやすくしたズームレンズの提供すること。【解決手段】物体側から順に、正屈折力の第１レンズ群と、負屈折力の第２レンズ群と、正屈折力の第３レンズ群と、正屈折力の第４レンズ群と、を有し、広角端から望遠端への変倍の際に、前記第１レンズ群と前記第２レンズ群との間隔、前記第２レンズ群と前記第３レンズ群との間隔、前記第３レンズ群と前記第４レンズ群との間隔を変化させ、前記第１レンズ群は正レンズと負レンズの２枚のレンズからなり、前記第２レンズ群は物体側から順に負レンズ、正レンズの２枚のレンズからなり、以下の条件式を満足することを特徴とする。    １．７８＜ｎd2n＜２．１０  ・・・（１）    ３５．０＜νd2n＜５０．０  ・・・（２）ただし、ｎd2nは、第２レンズ群中の負レンズのｄ線に対する屈折率、νd2nは、第２レンズ群中の負レンズのアッベ数、である。【選択図】図１
2008052116.tif 000002
【特許請求の範囲】
【請求項１】
物体側から順に、
正屈折力の第１レンズ群と、
負屈折力の第２レンズ群と、
正屈折力の第３レンズ群と、
正屈折力の第４レンズ群と、を有し、
広角端から望遠端への変倍の際に、前記第１レンズ群と前記第２レンズ群との間隔、前記第２レンズ群と前記第３レンズ群との間隔、前記第３レンズ群と前記第４レンズ群との間隔を変化させ、
前記第１レンズ群は正レンズと負レンズの２枚のレンズからなり、
前記第２レンズ群は物体側から順に負レンズ、正レンズの２枚のレンズからなり、
以下の条件式を満足することを特徴とするズームレンズ。
１．７８＜ｎd2n＜２．１０  ・・・（１）
３５．０＜νd2n＜５０．０  ・・・（２）
ただし、
ｎd2nは、第２レンズ群中の負レンズのｄ線に対する屈折率、
νd2nは、第２レンズ群中の負レンズのアッベ数、
である。
【請求項２】
以下の条件を満足することを特徴とする請求項１に記載のズームレンズ。
０．６＜｜ｆ1n｜／ｆt＜５．０          （Ａ）
０．０８＜｜ｆ2n｜／ｆt＜０．３５      （Ｂ）
５．０＜｜ｆ1n｜／｜ｆ2n｜＜２５．０    （Ｃ）
ただし、
ｆ1nは、第１レンズ群中の負レンズの焦点距離、
ｆ2nは、第２レンズ群中の負レンズの焦点距離、
ｆtは、望遠端でのズームレンズ全系の焦点距離、
である。
【請求項３】
以下の条件を満足することを特徴とする請求項１または２に記載のズームレンズ。
１．４＜｜ｆ1n｜／ｆ1p＜４．５      （Ｄ）
ただし、
ｆ1pは、第１レンズ群中の正レンズの焦点距離、
ｆ1nは、第１レンズ群中の負レンズの焦点距離、
である。
【請求項４】
前記第２レンズ群の前記正レンズは、以下の条件式を満足する物体側に凸のメニスカスレンズであることを特徴とする請求項１〜３のいずれか一項に記載のズームレンズ。
−５．０＜ＳＦ2p＜−１．０  ・・・（３）
ただし、
ＳＦ2p  ＝（Ｒ2pf＋Ｒ2pr）／（Ｒ2pf−Ｒ2pr）で定義され、
Ｒ2pfは、前記第２レンズ群中の前記正レンズの物体側面の近軸曲率半径、
Ｒ2prは、前記第２レンズ群中の前記正レンズの像側面の近軸曲率半径、
である。
【請求項５】
以下の条件式を満足することを特徴とする請求項１〜４のいずれか一項に記載のズームレンズ。
０．１２＜｜ｆ2／ｆt｜＜０．６０  ・・・（４）
ただし、
ｆ2は、前記第２レンズ群の焦点距離、
ｆtは、望遠端での前記ズームレンズ全系の焦点距離、
である。
【請求項６】
以下の条件式を満足することを特徴とする請求項１〜５のいずれか一項に記載のズームレンズ。
１．８８＜ｎd2p＜２．２０  ・・・（５）
１３．０＜νd2p＜３０．０  ・・・（６）
ただし、
ｎd2pは、第２レンズ群中の正レンズのｄ線に対する屈折率、
νd2pは、第２レンズ群中の正レンズのアッベ数、
である。
【請求項７】
前記第２レンズ群の前記負レンズは、以下の条件式を満足する両凹レンズであることを特徴とする請求項１〜６のいずれか一項に記載のズームレンズ。
０．３５＜ＳＦ2n＜１．００  ・・・（７）
ただし、
ＳＦ2n  ＝（Ｒ2nf＋Ｒ2nr）／（Ｒ2nf−Ｒ2nr）で定義され、
Ｒ2nfは、第２レンズ群中の前記負レンズの物体側面の近軸曲率半径、
Ｒ2nrは、第２レンズ群中の前記負レンズの像側面の近軸曲率半径、
である。
【請求項８】
前記第２レンズ群の前記負レンズの少なくとも１つのレンズ面は非球面であり、以下の条件式を満足することを特徴とする、請求項１〜７のいずれか一項に記載のズームレンズ。
０．０３０＜（｜ａｓｐ2nf｜＋｜ａｓｐ2nr｜）／ｆw＜０．３２０  ・・・（８）
ただし、
ａｓｐ2nfは、前記第２レンズ群中の前記負レンズの物体側のレンズ面における非球面偏倚量、
ａｓｐ2nrは、前記第２レンズ群中の前記負レンズの像側のレンズ面における非球面偏倚量、
ｆwは、広角端での前記ズームレンズ全系の焦点距離、
である。
【請求項９】
前記第２レンズ群中の前記負レンズにおける非球面は、光軸から離れるに従い屈折力が大きくなる非球面であることを特徴とする請求項８に記載のズームレンズ。
【請求項１０】
前記第２レンズ群中の前記負レンズは、両凹レンズであり、前記両凹レンズの物体側面、像側面が共に光軸から離れるに従い屈折力が大きくなる非球面であることを特徴とする請求項７に記載のズームレンズ。
【請求項１１】
前記第１レンズ群が、物体側から順に、前記負レンズ、前記正レンズの２枚のレンズからなることを特徴とする請求項１〜１０のいずれか一項に記載のズームレンズ。
【請求項１２】
前記第１レンズ群中の前記負レンズと前記正レンズは接合されていることを特徴とする請求項１１に記載のズームレンズ。
【請求項１３】
前記第１レンズ群中の前記負レンズと前記正レンズはそれぞれ単レンズであることを特徴とする請求項１１に記載のズームレンズ。
【請求項１４】
前記第１レンズ群の前記負レンズと前記正レンズとの軸上間隔が、以下の条件式を満足することを特徴とする請求項１３に記載のズームレンズ。
０．０≦Ｌ1np／Ｌ1＜０．２  ・・・（９）
ただし、
Ｌ1npは、第１レンズ群の前記負レンズと前記正レンズとの軸上間隔、
Ｌ1は前記第１レンズ群の軸上の総厚み、
である。
【請求項１５】
前記第３レンズ群が３枚以下のレンズからなることを特徴とする請求項１〜１４のいずれか一項に記載のズームレンズ。
【請求項１６】
前記第３レンズ群が、物体側から順に、正レンズ、負レンズの２枚のレンズからなることを特徴とする請求項１５に記載のズームレンズ。
【請求項１７】
前記第３レンズ群が、物体側から順に、正レンズ、正レンズ、負レンズの３枚のレンズからなることを特徴とする請求項１５に記載のズームレンズ。
【請求項１８】
前記第３レンズ群の前記負レンズは、隣り合う物体側の前記正レンズと接合されていることを特徴とする請求項１７に記載のズームレンズ。
【請求項１９】
以下の条件式を満足することを特徴とする請求項１〜１８のいずれか一項に記載のズームレンズ。
０．５０＜ｆ1／ｆt＜２．００  ・・・（１０）
ただし、
ｆ1は、前記第１レンズ群の焦点距離、
ｆtは望遠端での前記ズームレンズ全系の焦点距離、
である。
【請求項２０】
以下の条件式を満足することを特徴とする請求項１〜１９のいずれか一項に記載のズームレンズ。
０．１６＜ｆ3／ｆt＜０．８０  ・・・（１１）
ただし、
ｆ3は、前記第３レンズ群の焦点距離、
ｆtは、望遠端での前記ズームレンズ全系の焦点距離、
である。
【請求項２１】
以下の条件式を満足することを特徴とする、請求項１〜２０の少なくともいずれか一項に記載のズームレンズ。
０．２４＜ｆ4／ｆt＜０．８０  ・・・（１２）
ただし、
ｆ4は、前記第４レンズ群の焦点距離、
ｆtは、望遠端での前記ズームレンズ全系の焦点距離、
である。
【請求項２２】
広角端から望遠端への変倍時に、
前記第１レンズ群と前記第２レンズ群との間隔が広がり、
前記第２レンズ群と前記第３レンズ群との間隔が狭まり、
前記第３レンズ群と前記第４レンズ群との間隔が広がるように、
前記第１レンズ群、前記第２レンズ群、前記第３レンズ群、前記第４レンズ群は移動し、
さらに、
前記ズームレンズは前記変倍に際して第３レンズ群と共に光軸方向に移動する明るさ絞りを有することを特徴とする請求項１〜２１のいずれか一項に記載のズームレンズ。
【請求項２３】
広角端から望遠端への変倍時に、
前記第１レンズ群は広角端よりも望遠端で物体側にあるように移動し、
前記第２レンズ群は移動し、
前記第３レンズ群は物体側へのみ移動し、
前記第４群は移動し、
前記明るさ絞りは前記第２レンズ群と前記第３レンズ群との間に位置し、前記変倍に際して前記第３レンズ群と一体で光軸方向に移動することを特徴とする請求項２２に記載のズームレンズ。
【請求項２４】
前記ズームレンズが４群ズームレンズであることを特徴とする請求項１〜２３のいずれか一項に記載のズームレンズ。
【請求項２５】
以下の条件式を満足することを特徴とする請求項１〜２４のいずれか一項に記載のズームレンズ。
３．８＜ｆt／ｆw＜１０．０・・・（１３）
ただし、
ｆwは、広角端での前記ズームレンズ全系焦点距離、
ｆtは、望遠端での前記ズームレンズ全系焦点距離、
である。
【請求項２６】
請求項１〜２５の少なくともいずれか一項に記載のズームレンズと、
前記ズームレンズの像側に配置され、前記ズームレンズにより形成される光学像を電気信号に変換する電子撮像素子と、を有することを特徴とする電子撮像装置。
【発明の詳細な説明】
【技術分野】
【０００１】
本発明は、ズームレンズに関するものである。また、それを用いた電子撮像装置に関するものである。特に小型化を実現した、ビデオカメラやデジタルカメラをはじめとする電子撮像装置に関するものである。
【背景技術】
【０００２】
近年では、銀塩フィルムカメラに代わり、ＣＣＤやＣＭＯＳのような電子撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。普及タイプのデジタルカメラのユーザーは、いつでもどこでも手軽に様々なシーンで撮影を楽しみたいという要望をもっている。そのため、小型の商品、特に服やカバンのポケット等への収納性がよく持ち運びが便利な、厚み方向のサイズが薄型であるタイプのデジタルカメラが好まれるようになっている。
【０００３】
一方、コンパクトタイプのデジタルカメラの変倍比は３倍程度が一般的であったが、更に従来よりも高変倍比のカメラが求められている。比較的高変倍比を維持しやすいズームレンズとして、物体側より正屈折力の第１レンズ群、負屈折力の第２レンズ群、正屈折力の第３レンズ群、正屈折力の第４レンズ群を有するタイプのズームレンズが知られている。
【０００４】
一方、カメラの大きさのうち、厚さ方向のサイズは主にレンズ鏡筒のサイズで決まってしまうため、カメラの薄型化達成のためにはレンズ鏡筒を薄型化することが効果的である。
【０００５】
最近では、カメラ使用状態ではレンズ鏡筒をカメラボディ内からせり出し携帯時にはカメラボディ内に収納する、いわゆる沈胴式鏡筒が一般的になっている。そのため、沈胴時のレンズ鏡筒の薄型化を考慮したズームレンズが求められる。以下の従来技術では、第２レンズ群を負レンズと正レンズの２枚で構成することにより、第２レンズ群の厚さ方向を小さくする工夫がなされている。
【０００６】
【特許文献１】特開２００４−２５８２４０号公報
【特許文献２】特開２００４−１９９０００号公報
【特許文献３】特開２００１−１３３６８７号公報
【特許文献４】特開平１１−１１９１００号公報
【発明の開示】
【発明が解決しようとする課題】
【０００７】
しかしながら、上述の従来技術には以下の課題がある。特開２００４−２５８２４０号公報の実施例４に記載のズームレンズは、第１レンズ群の第１レンズ群と第２レンズ群のレンズ枚数の合計が５枚のものである。これでは、広角側での画角を確保しようとすると、第１レンズ群の最も物体側のレンズの径を小さくできず、鏡筒の径方向の小型化に不利である。また、沈胴方式を採用したとしても光軸方向の厚みの小型化に不利である。
【０００８】
また、特開２００４−１９９０００号公報に記載のズームレンズは、第１レンズ群と第２レンズ群とのレンズ枚数の合計が３枚、特開平１１−１１９１００号公報や特開２００１−１３３６８７号公報には、第１レンズ群と第２レンズ群のレンズ枚数の合計が４枚のズームレンズが記載されているが、第１、第２レンズ群の収差の変動の影響を抑え難く、変倍比が３倍に至っていないものである。
【０００９】
本発明はこのような問題点に鑑みてなされたものであり、その目的は、正屈折力の第１レンズ群、負屈折力の第２レンズ群、正屈折力の第３レンズ群、正屈折力の第４レンズ群を有するズームレンズで、第１レンズ群、第２レンズ群の工夫により、小型化、収差性能の確保を行いやすくしたズームレンズの提供を目的とする。
【００１０】
また、そのようなズームレンズを備えることで、小型化しやすい電子撮像装置を提供することを目的とする。
さらには、ズームレンズの各レンズ群等の工夫により、小型化、収差性能の確保、変倍比の確保をより行いやすいズームレンズ、電子撮像装置の提供を目的とする。
【課題を解決するための手段】
【００１１】
上記課題を解決するために、本発明の第１のズームレンズは、物体側から順に、正屈折力の第１レンズ群と、負屈折力の第２レンズ群と、正屈折力の第３レンズ群と、正屈折力の第４レンズ群、を有し、広角端から望遠端への変倍の際に、第１レンズ群と第２レンズ群との間隔、第２レンズ群と第３レンズ群との間隔、第３レンズ群と第４レンズ群との間隔を変化させ、第１レンズ群は正レンズと負レンズの２枚のレンズからなり、第２レンズ群は物体側から順に負レンズ、正レンズの２枚のレンズからなり、以下の条件式（１）、（２）を満足する。
【００１２】
１．７８＜ｎd2n＜２．１０  ・・・（１）
３５．０＜νd2n＜５０．０  ・・・（２）
ただし、
ｎd2nは、第２レンズ群中の負レンズのｄ線に対する屈折率、
νd2nは、第２レンズ群中の負レンズのアッベ数、
である。
【００１３】
以下、第１のズームレンズにおいて上記構成とった理由と作用を説明する。本発明では、物体側から順に、正屈折力の第１レンズ群、負屈折力の第２レンズ群、正屈折力の第３レンズ群、正屈折力の第４レンズ群を有し、各群の間隔を変化させることで変倍を行う構成を採用した。
【００１４】
このような構成をとることにより、各群に変倍の負担を効率的に分担させることができ、変倍時の収差変動を小さく抑えつつまた各群の移動量が大きくなることを防ぎズームレンズのコンパクト化につながる。
【００１５】
そして、第２レンズ群を物体側から順に負レンズと正レンズの２枚で構成することにより、群の厚さ方向を小さくし、かつ外径方向の大きさも小型化できる。そして、第１レンズ群は正レンズと負レンズの２枚のレンズで構成し、第２レンズ群は物体側から順に負レンズ、正レンズの２枚のレンズで構成した。それにより、群の厚さ方向を小さくし、かつ外径方向の大きさも小型化できる。
【００１６】
第１レンズ群、第２レンズ群では軸外光線の光軸上からの入射高が高くなりやすいため、レンズのふち肉を必要な量確保しようとするとき、軸上肉厚が厚くなりやすい傾向がある。また、第１レンズ群、第２レンズ群のレンズ枚数が多くなるとそれらレンズ群を通過する軸外光線高さはますます高くなり、ふち肉確保のための軸上肉厚はより厚みが必要となる。当然、第１レンズ群、第２レンズ群のレンズ枚数が増えた分の軸上肉厚も大きくなってくる。
【００１７】
このような観点から、第１レンズ群、第２レンズ群をそれぞれ２枚という少ないレンズからなる構成とすることで、これらレンズ群の径方向の大きや光軸上肉厚を小さくし、沈胴状態時の鏡筒のコンパクト化に有利となる。
【００１８】
また、第１レンズ群は１枚の正レンズと１枚の負レンズからなる構成とすることで、少ないレンズ枚数ながら色収差の補正に有利となる。その結果、第１レンズ群と第２レンズ群との間隔変化を大きくして変倍比を確保しても色収差の劣化を抑えやすくなる。
【００１９】
また、従来ではレンズ群の厚さ方向が特に大きかった第２レンズ群を物体側から順に負レンズ、正レンズの２枚からなる構成とした。第２レンズ群は変倍負担が大きくなりやすいレンズ群であるため大きな負のパワーを有する場合が多い。
【００２０】
第２レンズ群を負レンズ、正レンズの２枚のみからなる構成とすると、第２レンズ群の負レンズは１枚で大きな負のパワー担うことになる。一方、全変倍域で高い光学性能を確保するためには、この群内での収差の発生を出来る限り小さく抑えておくことが効果的である。そのため、この負レンズで発生する収差を小さく抑えるために、第２レンズ群の負レンズについて条件式（１）、（２）を満足するようにした。これは第２レンズ群の負レンズのｄ線に対する屈折率、及び、アッベ数を規定するものである。
【００２１】
条件式（１）はコストと収差補正機能とのバランスに関する条件式である。条件式（１）の上限を上回らないようにすることで、使用する材料のコスト、製造コストを抑えやすくなる。上限を上回ると使用する材料が高価になり、加工がし難い材料となる。
【００２２】
条件式（１）の下限を下回らないようにすることで、レンズ面の曲率を小さくしても負の屈折力の確保が容易となる。その結果、広角端での樽型の歪曲収差が大きくなりすぎることを抑え、負レンズ自体によるコマ収差等も低減でき、広角端および望遠端でのコマ収差等の発生や、変倍時の収差変動を抑えやすくなる。
【００２３】
条件式（２）は色収差補正、特に軸外の倍率色収差補正に関する条件式である。
上限を上回らないようにして、使用する材料の屈折率を確保して収差補正しやすくすることが好ましい。
【００２４】
条件式（２）の上限を上回ると、色収差補正上は有利となるが、現存するレンズ材料では屈折率が小さくなりやすい。
【００２５】
条件式（２）の下限を下回らないようにして、色分散を小さくし、色収差を抑え易くすることが好ましい。
【００２６】
以下のようにすると更に好ましい。
１．７９＜ｎd2n＜２．００  ・・・（１’）
３７．０＜νd2n＜４５．０  ・・・（２’）
以下を満足するとなお好ましい。
１．８０＜ｎd2n＜１．９５  ・・・（１’’）
４０．０＜νd2n＜４７．０  ・・・（２’’）
これにより、さらに上述の効果を奏することができる。なお、これら条件式は、より限定した条件式の上限値のみ、もしくは下限値のみを特定してもよい。以降説明する各数値条件式についても同様である。
【００２７】
本発明においては、第１レンズ群、第２レンズ群にそれぞれに負レンズを配置することで、広角端での第１、２レンズ群の合成系による球面収差等の発生を抑えやすくしている。
また、第２レンズ群が第１レンズ群から離れる状態であっても第１レンズ群での球面収差が抑えられるので、第１、第２レンズ群のそれぞれのパワーを確保しやすく、また、間隔変化を大きくしても球面収差の変動を抑えやすいので高変倍比化に有利となる。
【００２８】
さらに、第２のズームレンズは、第１のズームレンズにおいて、第１レンズ群の負レンズの焦点距離と、第２レンズ群の負レンズの焦点距離は、以下の条件（Ａ）、（Ｂ）、（Ｃ）を満足することが好ましい。
【００２９】
０．６＜｜ｆ1n｜／ｆt＜５．０          （Ａ）
０．０８＜｜ｆ2n｜／ｆt＜０．３５      （Ｂ）
５．０＜｜ｆ1n｜／｜ｆ2n｜＜２５．０  （Ｃ）
ただし、
ｆ1nは、第１レンズ群中の負レンズの焦点距離、
ｆ2nは、第２レンズ群中の負レンズの焦点距離、
ｆtは、望遠端でのズームレンズ全系の焦点距離、
である。
【００３０】
これら条件式（Ａ）、（Ｂ）、（Ｃ）は、第１レンズ群中の負レンズと第２レンズ群中の負レンズのパワーについて、適度なバランスを取りながら負パワーによる収差補正の効果を確保するための条件である。
【００３１】
第１レンズ群の負レンズの焦点距離が条件式（Ａ）の上限を上回らないようにすることで、第１レンズ群での倍率色収差や球面収差の補正に有利となる。
【００３２】
条件式（Ａ）の下限を下回らないようにすることで、第１レンズ群のパワーを確保しやすくなり、第２レンズ群での変倍機能を確保しやすくなる。
【００３３】
第２レンズ群の負レンズの焦点距離が条件式（Ｂ）の上限を上回らないようにすることで、第２レンズ群の負パワーを確保しやすくなり、小型化、高変倍比化に有利となる。
条件式（Ｂ）の下限を下回らないようにすることで、第２レンズ群での諸収差の発生を抑えやすくなる。
【００３４】
条件式（Ｃ）の上限を上回らないようにすることで、変倍時の色収差や球面収差の変動を抑えやすくなる。
【００３５】
条件式（Ｃ）の下限を下回らないようにすることで、変倍量に対する可変間隔の変化量を小さくしやすくなる。
【００３６】
これら条件（Ａ）、（Ｂ）、（Ｃ）はそれぞれ同時に満足すると収差と小型化、高変倍比化を行うことに有利となる。
【００３７】
それぞれの条件式について、以下のようにすると更に好ましい。
０．８＜｜ｆ1n｜／ｆt＜４．０          （Ａ’）
０．１０＜｜ｆ2n｜／ｆt＜０．３０      （Ｂ’）
６．０＜｜ｆ1n｜／｜ｆ2n｜＜２１．０    （Ｃ’）
以下を満足するとなお好ましい。
１．０＜｜ｆ1n｜／ｆt＜３．０          （Ａ’’）
０．１２＜｜ｆ2n｜／ｆt＜０．２５      （Ｂ’’）
７．０＜｜ｆ1n｜／｜ｆ2n｜＜１８．０    （Ｃ’’）
これらにより、さらに上述の効果を奏することができる。
【００３８】
また、第３のズームレンズは、第１〜第２のズームレンズにおいて、第１レンズ群の２枚のレンズが、以下の条件式を満足することが好ましい。
【００３９】
１．４＜｜ｆ1n｜／ｆ1p＜４．５      （Ｄ）
ただし、
ｆ1pは、第１レンズ群中の正レンズの焦点距離、
ｆ1nは、第１レンズ群中の負レンズの焦点距離、
である。
【００４０】
条件式（Ｄ）の条件式の上限を上回らないようにして負レンズのパワーを確保することで、正レンズで発生する色収差等の補正に有利となる。
【００４１】
条件式（Ｄ）の下限を下回らないようにすることで、負レンズのパワーが強くなりすぎることを抑え、レンズ２枚構成の第１レンズ群の正パワーを確保しやすくなる。また、両レンズ同士の相対偏心による収差への影響を抑えやすくなる。
【００４２】
以下のようにすると更に好ましい。
１．６＜｜ｆ1n｜／ｆ1p＜４．０      （Ｄ’）
以下を満足するとなお好ましい。
１．８＜｜ｆ1n｜／ｆ1p＜３．５      （Ｄ’’）
これらにより、さらに上述の効果を奏することができる。
【００４３】
コンパクト化を実現しながら、効率よく良好な光学性能を得られるように、本発明では上述の他にも様々な工夫を加えことがより好ましい。以下に詳細に説明を述べる。
【００４４】
第４のズームレンズは、第１〜第３のズームレンズにおいて、第２レンズ群内の収差をより効果的に補正するためには、第２レンズ群の正レンズを、物体側に凸のメニスカス形状とし、軸外光束の入射角を抑えることが好ましい。このとき、第２レンズ群の正レンズの形状が以下の条件式（３）を満足することが好ましい。
【００４５】
−５．０＜ＳＦ2p＜−１．０  ・・・（３）
ただし、
ＳＦ2p  ＝（Ｒ2pf＋Ｒ2pr）／（Ｒ2pf−Ｒ2pr）で定義され、
Ｒ2pfは、第２レンズ群中の正レンズの物体側面の近軸曲率半径、
Ｒ2prは、第２レンズ群中の正レンズの像側面の近軸曲率半径、
である。
【００４６】
第４のズームレンズにおいて上記構成をとった理由と作用を説明する。条件式（３）の上限を上回らないようにして、このレンズの物体側面の曲率を確保することで、広角端の非点収差や望遠端での球面収差補正に有利となる。
【００４７】
条件式（３）の下限を下回らないようにして、レンズ面の曲率が大きくなりすぎることを抑えることで、軸外の高次収差の発生を抑えやすくなる。具体的には、軸外の像面湾曲や倍率色収差の低減に好ましい。
【００４８】
以下のようにすると更に好ましい。
−３．８＜ＳＦ2p＜−１．４  ・・・（３’）
以下を満足するとなお好ましい。
−２．６＜ＳＦ2p＜−１．８  ・・・（３’’）
これにより、さらに上述の効果を奏することができる。
【００４９】
また、第５のズームレンズは、第１〜第４のズームレンズにおいて、第２レンズ群のパワーについては以下の条件式（４）を満足することが好ましい。
【００５０】
０．１２＜｜ｆ2／ｆt｜＜０．６０  ・・・（４）
ただし、
ｆ2は、第２レンズ群の焦点距離、
ｆtは、望遠端でのズームレンズ全系の焦点距離、
である。
【００５１】
第５のズームレンズにおいて上記構成をとった理由と作用を説明する。条件式（４）の上限を上回らないようにすることで、第２レンズ群のパワーを確保し、第１、２レンズ群の間隔変化量に対する変倍比を得やすくなり、鏡筒のコンパクト化に有利となる。
【００５２】
条件式（４）の下限を下回らないようにすることで、第２レンズ群のパワーを抑えて収差を抑えることが好ましい。
【００５３】
以下のようにすると更に好ましい。
０．１８＜｜ｆ2／ｆt｜＜０．４９  ・・・（４’）
以下を満足するとなお好ましい。
０．２４＜｜ｆ2／ｆt｜＜０．３８  ・・・（４’’）
これにより、さらに上述の効果を奏することができる。
【００５４】
また、第６のズームレンズは、第１〜第５のズームレンズにおいて、第２群を２枚のレンズからなる構成としてもさらに十分に収差補正が行われるよう、第２レンズ群の正レンズについて条件式（５）、（６）を満足することが好ましい。
１．８８＜ｎd2p＜２．２０  ・・・（５）
１３．０＜νd2p＜３０．０  ・・・（６）
ただし、
ｎd2pは、第２レンズ群中の正レンズのｄ線に対する屈折率、
νd2pは、第２レンズ群中の正レンズのアッベ数、
である。
【００５５】
第６のズームレンズにおいて上記構成とった理由と作用を説明する。条件式（５）、（６）は、第２レンズ群の正レンズのｄ線に対する屈折率、及び、アッベ数を規定するものである。
【００５６】
第２レンズ群は変倍負担が大きくなりやすいレンズ群であるため大きな負のパワーを有する場合が多い。そのため、第２レンズ群の負レンズによる収差を、１枚の正レンズで補正しておくためにはこのレンズの屈折率、分散を適切に設定しておくことが効果的である。
【００５７】
条件式（５）は像面湾曲やコマ収差の補正とコストに関する条件式である。条件式（５）の上限を上回らないようにすることで、使用する材料のコスト、製造コストを抑えやすくなる。上限を上回ると使用する材料が高価になり、加工がし難い材料となる。
【００５８】
条件式（５）の下限を下回らないようにすることで、レンズ面の曲率を小さくしても屈折力の確保が容易となる。その結果、広角端での像面湾曲を抑え、正レンズ自体によるコマ収差等も低減でき、広角端および望遠端でのコマ収差等の発生や、変倍時の収差変動を抑えやすくなる。
【００５９】
条件式（６）は色収差補正、特に軸外の倍率色収差補正に関する条件式である。第２レンズ群の負レンズにより発生する色収差をこの群内で良好に補正するためには、正レンズに適度な分散を持たせることが好ましい。
【００６０】
条件式（６）の上限を上回らないようにすることで、正レンズの分散を確保し、第２レンズ群での負レンズで発生する色収差とキャンセルさせ、撮影画像の色にじみの低減に好ましい。
【００６１】
条件式（６）の下限を下回らないようにすることで、短波長側での分散が大きくなりすぎることを抑え、２次スペクトルによる色にじみの低減に好ましい。
【００６２】
各条件式について、以下のようにすると更に好ましい。
１．９０＜ｎd2p＜２．１６  ・・・（５’）
１５．０＜νd2p＜２５．０  ・・・（６’）
【００６３】
以下のようにするとなお好ましい。
１．９２＜ｎd2p＜２．１１  ・・・（５’’）
１７．０＜νd2p＜２１．０  ・・・（６’’）
こらにより、さらに上述の効果を奏することができる。
【００６４】
本発明では第２レンズ群を負レンズ、正レンズの２枚のみからなる構成としているが、第２レンズ群の負レンズは大きな負のパワー担うことになる。全変倍域で高い光学性能を確保するためには、この負レンズで発生する収差をなるべく小さく抑えることが好ましい。
【００６５】
そのため、第７のズームレンズは、第１〜第６のズームレンズにおいて、このレンズは両凹レンズとして大きなパワーを持たせることが好ましい。さらには、以下の条件式（７）を満足するような形状とすると好ましい。
【００６６】
０．３５＜  ＳＦ2n＜１．００  ・・・（７）
ただし、
ＳＦ2n＝（Ｒ2nf＋Ｒ2nr）／（Ｒ2nf−Ｒ2nr）で定義され、
Ｒ2nfは、第２レンズ群中の負レンズの物体側面の近軸曲率半径、
Ｒ2nrは、第２レンズ群中の負レンズの像側面の近軸曲率半径、
である。
【００６７】
第７のズームレンズにおいて上記構成をとった理由と作用を説明する。条件式（７）の上限を上回らないようにして、負レンズの像側面の曲率を抑えることで、広角端での像面湾曲の発生を抑えやすくなる。また、第２レンズ群の軸上での厚みを抑えやすくなる。また、第２レンズ群の光軸方向の厚みを抑えたり、画角の確保が容易となる。
【００６８】
条件式（７）の下限を下回らないようにして、負レンズの物体側面の負の曲率を抑えることで、広角端での軸外諸収差を抑えやすくなる。
【００６９】
以下のようにするとさらに好ましい。
０．４５＜ＳＦ2n＜０．８５  ・・・（７’）
以下を満足するとなお好ましい。
０．５５＜ＳＦ2n＜０．７０  ・・・（７’’）
これにより、上述の効果をさらに奏することができる。
【００７０】
また、収差の発生を抑えて良好な光学性能を得るためには、第２レンズ群の負レンズの少なくとも１つのレンズ面には非球面を配置することが好ましい。また、この負レンズの物体側面と像側面との両面を非球面としても良い。
【００７１】
それらの場合、第８のズームレンズは、第１〜第７のズームレンズにおいて、以下の条件式（８）を満足するようにすることが好ましい。
【００７２】
０．０３０＜（｜ａｓｐ2nf｜＋｜ａｓｐ2nr｜）／ｆw＜０．３２０  ・・・（８）
ただし、
ａｓｐ2nfは、第２レンズ群中の負レンズの物体側のレンズ面における非球面偏倚量、
ａｓｐ2nrは、第２レンズ群中の負レンズの像側のレンズ面における非球面偏倚量、
ｆwは広角端でのズームレンズ全系の焦点距離、
である。
【００７３】
非球面偏倚量は、前記レンズ面の面頂と同じ面頂を持ち該レンズ面の近軸曲率半径を曲率半径とする球面を基準球面としたとき、該レンズ面における広角端での最大光線入射高の位置にて、光軸に平行な方向に測ったときの該基準球面から該レンズ面まで距離である。像側方向を正符号とし、レンズ面が球面または平面の場合の非球面偏倚量は０となる。
【００７４】
第８のズームレンズにおいて上記構成をとった理由と作用を説明する。条件式（８）の上限を上回らないようにして、非球面偏倚量の絶対値の和が大きくなりすぎないようにすることで、製造誤差によって非球面レンズの面間に偏心が発生したときの光学性能の劣化を抑えやすくなる。
【００７５】
条件式（８）の下限を下回らないようにして、非球面偏倚量の絶対値の和を確保し、非球面による収差補正の作用を確保することが好ましい。
【００７６】
以下のようにすると更に好ましい。
０．０４０＜（｜ａｓｐ2nf｜＋｜ａｓｐ2nr｜）／ｆw＜０．２５０  ・・・（８’）
以下を満足するとなお好ましい。
０．０５０＜（｜ａｓｐ2nf｜＋｜ａｓｐ2nr｜）／ｆw＜０．１８０  ・・・（８’’）
これにより、さらに上述の効果を奏することができる。
【００７７】
さらに、第９のズームレンズは、第８のズームレンズにおいて、第２レンズ群中の負レンズにおける非球面は、光軸から離れるに従い屈折力が大きくなる非球面とすることが好ましい。
【００７８】
第９のズームレンズにおいて上記構成をとった理由と作用を説明する。なお、屈折力が大きくなるとは、負の屈折力が小さくなるもしくは正の屈折力が大きくなるという意味である。このように構成することで、広角端での歪曲収差やコマ収差を抑えやすくなる。
【００７９】
さらには、第１０のズームレンズは、第９のズームレンズにおいて、第２レンズ群中の負レンズは、両凹レンズであり、その両凹レンズの物体側面、像側面が共に光軸から離れるに従い屈折力が大きくなる非球面とすることが好ましい。
【００８０】
第１０のズームレンズにおいて上記構成をとった理由と作用を説明する。第２レンズ群の軸上ないし周辺部分での厚みの小型化と第２レンズ群での諸収差の低減の両立に有利となる。
【００８１】
また、第１１のズームレンズは、第１〜第１０のズームレンズにおいて、第１レンズ群が、物体側から順に、負レンズと正レンズの２枚のレンズからなる構成である。
【００８２】
物体側から順に、負レンズ、正レンズの順で配置することにより、色収差補正の機能を持たせながら、変倍による諸収差の変動を抑えやすくなる。
【００８３】
また、第１２のズームレンズは、第１１のズームレンズにおいて、第１レンズ群の負レンズと正レンズを接合しても良い。接合レンズとすると、高変倍比化による望遠端の長焦点化の際に問題となり易い軸上色収差補正を効果的に行うことができる。
【００８４】
また、組み立て誤差によるレンズ相対偏心での光学性能の劣化を抑えることができ、歩留まりの向上やコストダウンに貢献する。
【００８５】
また、第１３のズームレンズは、第１１のズームレンズにおいて、第１レンズ群の負レンズと正レンズは接合されていない、それぞれ独立した単レンズからなる構成としても良い。
【００８６】
このようにすると、第１レンズ群での屈折面が４面となり、設計の自由度があげられ、広角端での歪曲収差、および望遠端でのコマ収差をより効果的に補正することが可能となる。
【００８７】
また、第１４のズームレンズは、第１３のズームレンズにおいて、前記第１レンズ群の負レンズと正レンズの間隔は、以下の条件式（９）を満足するようにすることが好ましい。
【００８８】
０．０≦Ｌ1np／Ｌ1＜０．２０  ・・・（９）
ただし、
Ｌ1npは、第１レンズ群の負レンズと正レンズとの軸上間隔、
Ｌ1は、第１レンズ群の軸上の総厚み、
である。
【００８９】
第１４のズームレンズにおいて上記構成をとった理由と作用を説明する。条件式（９）の上限を上回らないようにすることで、最も物体側のレンズを透過する軸外光線高を抑え、このレンズの有効径を小さくし、しいてはズームレンズ全体の径方向のコンパクト化に有利となる。また、条件式（９）の下限を超えることは現実的にありえない。
【００９０】
以下のようにするとさらに好ましい。
０．０≦Ｌ1np／Ｌ1＜０．１５  ・・・（９’）
以下を満足するとなお好ましい。
０．０≦Ｌ1np／Ｌ1＜０．１０  ・・・（９’’）
これにより、さらに上述の効果を奏することができる。
【００９１】
また、第１５のズームレンズは、第１〜第１４のズームレンズにおいて、第３レンズ群の構成は、鏡筒の薄型化のためには３枚以下のレンズからなる構成とすることが好ましい。
【００９２】
また、第１６のズームレンズは、第１５のズームレンズにおいて、第３レンズ群は物体側から順に、正レンズ、負レンズの２枚のレンズからなる構成としてもよい。
【００９３】
第３レンズ群で発生する色収差等諸収差を補正するための最小のレンズ枚数で構成することで、鏡筒の薄型化につながる。また、このようなレンズ配置の構成とすることで前側主点を物体よりに位置させることができ、変倍比の確保と群移動量を小さく抑えることが容易となり、この点からもコンパクト化に有利となる。
【００９４】
また、第１７のズームレンズは、第１５のズームレンズにおいて、より高い光学性能を確保したい場合は、第３レンズ群を物体側から順に、正レンズ、正レンズ、負レンズの３枚からなる構成としてもよい。
【００９５】
このようなレンズ配置の構成とすることで、第３レンズ群の正パワーを主に２つの正レンズに分担でき、球面収差やコマ収差の補正に有利となる。
さらには、第３レンズ群の負レンズは、隣り合う物体側の正レンズと接合されていることが好ましい。
【００９６】
また、第１８のズームレンズは、第１７のズームレンズにおいて、正レンズと負レンズを接合することで、軸上色収差の補正をより効果的に行うことができる。
【００９７】
また、正レンズのパワーを２枚のレンズに分散させ、正レンズと負レンズを接合レンズとすることで、組み立て工程でのレンズ同士の相対偏心による光学性能の劣化を防ぐことができるため、歩留まりの向上やコストダウンにつながる。
【００９８】
また、第３レンズ群内に１面以上の非球面を配置することで球面収差やコマ収差の補正に効果がある。
【００９９】
さらに、第３レンズ群の最も物体側の正レンズを両面非球面とすることがより好ましい。
【０１００】
複数のレンズに非球面を配置するとレンズの相対偏心による光学性能劣化が大きくなりがちだが、このように１枚のレンズの両側面を非球面とすることでレンズ相対偏心による光学性能劣化を小さく抑えながら、球面収差とコマ収差をより良好に補正することが可能となっている。
【０１０１】
特に、第３レンズ群をレンズ２枚の構成とした場合に、設計の自由度を確保でき、小型化と光学性能の確保の両立の点で好ましい。
【０１０２】
また、第１９のズームレンズは、第１〜第１８のズームレンズにおいて、コンパクト化と光学性能のバランスの観点から、第１レンズ群に以下の条件式（１０）を満足させることが好ましい。
【０１０３】
０．５０＜ｆ1／ｆt＜２．００    ・・・（１０）
ただし、
ｆ1は、第１レンズ群の焦点距離、
ｆtは望遠端でのズームレンズ全系の焦点距離、
である。
【０１０４】
第１９のズームレンズにおいて上記構成をとった理由と作用を説明する。条件式（１０）の上限を上回らないようにして、第１レンズ群のパワーを確保することで、ズームレンズ全系の全長を抑えやすくし、鏡筒の小型化に有利となる。
【０１０５】
条件式（１０）の下限を下回らないようにすることで、第１レンズ群のパワーを抑え、望遠端での球面収差やコマ収差の発生を抑え、良好な光学性能を確保しやすくなる。
【０１０６】
以下のようにするとさらに好ましい。
０．７５＜ｆ1／ｆt＜１．８０    ・・・(１０’）
以下を満足するとなお好ましい。
０．９５＜ｆ1／ｆt＜１．６０    ・・・(１０’’）
これにより、さらに上述の効果を奏することができる。
【０１０７】
また、第２０のズームレンズは、第１〜第１９のズームレンズにおいて、第３レンズ群のパワーについては以下の条件式（１１）を満足することが好ましい。
【０１０８】
０．１６＜ｆ3／ｆt＜０．８０  ・・・（１１）
ただし、
ｆ3は、第３レンズ群の焦点距離、
ｆtは、望遠端でのズームレンズ全系の焦点距離、
である。
【０１０９】
第２０のズームレンズにおいて上記構成をとった理由と作用を説明する。条件式（１１）の上限を上回らないようにして、第３レンズ群のパワーを確保し、第３レンズ群での変倍負担を確保することが小型化の点で好ましい。
【０１１０】
条件式（１１）の下限を下回らないようにして、第３レンズ群のパワーを適度に抑え、第３レンズ群での収差発生を抑えることが好ましい。
【０１１１】
以下のようにすると更に好ましい。
０．２３＜ｆ3／ｆt＜０．６０  ・・・(１１’）
以下を満足するとなお好ましい。
０．３０＜ｆ3／ｆt＜０．４０  ・・・(１１’’)
これにより、さらに上述の効果を奏することができる。
【０１１２】
また、第２１のズームレンズは、第１〜第２０のズームレンズにおいて、第４レンズ群のパワーについては、テレセントリック性の確保と像面湾曲の補正の点で以下の条件式（１２）を満足するようにすることが好ましい。
【０１１３】
０．２４＜ｆ4／ｆt＜０．８０  ・・・（１２）
ただし、
ｆ4は、第４レンズ群の焦点距離、
ｆtは、望遠端でのズームレンズ全系の焦点距離、
である。
【０１１４】
第２１のズームレンズにおいて上記構成をとった理由と作用を説明する。条件式（１２）の上限を上回らないようにして、第４レンズ群のパワーを確保することで、像側へのテレセントリック性の確保し、像面湾曲の補正過剰を抑えられる。
条件式（１２）の下限を下回らないようにして、第４レンズ群のパワーを適度に抑えることで、像面湾曲の補正不足を抑えられる。
【０１１５】
以下のようにすると更に好ましい。
０．３６  ＜  ｆ4／ｆt  ＜  ０．７０  ・・・(１２’）
以下を満足するとなお好ましい。
０．４８  ＜  ｆ4／ｆt  ＜  ０．６２  ・・・（１２’’）
これらにより、さらに上述の効果を奏することができる。
【０１１６】
また、第４レンズ群はプラスチック材料で形成してもよい。第４レンズ群の主な役割は、射出瞳位置を適切な位置に配置してＣＣＤやＣＭＯＳ等の電子撮像素子に効率よく光線を入射させることである。そのような役割のためには、上述した条件式（１２）のような範囲内にパワーが設定されていれば比較的大きなパワーは必要とせず、プラスチックレンズのような屈折率の低い材料を用いて構成することも可能である。
【０１１７】
第４レンズ群にプラスチックレンズを用いればコストを安く抑えられ、より安価なズームレンズを提供することが可能となる。
【０１１８】
さらに、性能を維持しつつ高変倍化するためには各レンズ群に効率よく変倍作用を与えて、かつ全変倍領域にわたって収差を良好に補正することがより効果的である。
【０１１９】
そのため、第２２のズームレンズは、第１〜第２１のズームレンズにおいて、広角端から望遠端への変倍時に、第１レンズ群と第２レンズ群との間隔が広がり、第２レンズ群と第３レンズ群との間隔が狭まり、第３レンズ群と第４レンズ群との間隔が広がるように、第１レンズ群、第２レンズ群、第３レンズ群、第４レンズ群は移動し、さらに、ズームレンズは変倍に際して第３レンズ群と共に光軸方向に移動する明るさ絞りを有する構成とすることがより好ましい。
【０１２０】
第２２のズームレンズにおいて上記構成をとった理由と作用を説明する。このように各レンズ群を移動させることにより、各レンズ群に変倍作用を効果的に与えることが可能になり高変倍比化しても高性能を達成することに有利となる。
【０１２１】
また、明るさ絞りを第３レンズ群と共に移動させることにより、倍率色収差や歪曲収差の効果的補正が可能になって性能面で効果を出せるだけでなく、入射瞳位置、射出瞳位置を適切にコントロールすることが可能となる。
【０１２２】
すなわち、広角端における軸外光束の光線高と望遠端の軸外光束の光線高のバランスがとれるようになり、第１レンズ群の外径と第４レンズ群の外径をバランスよくコンパクトに構成することが可能となる。特に広角端での第１レンズ群の外径を小さくすることはレンズの厚み方向の大きさのコンパクト化にも効果的につながる。また変倍の際の射出瞳位置の変動を小さくするようにコントロールすることもできるようになるため、撮像素子（例えばＣＣＤやＣＭＯＳ等）に入射する光線の入射角度を適当な範囲に保ち画面の隅での明るさのかげり（シェーディング）の発生を防ぐことができ、電子撮像装置に好適となる。
【０１２３】
さらに、全長、収差バランス等を良好とするために、以下の構成としてもよい。
第２３のズームレンズは、第２２のズームレンズにおいて、広角端から望遠端への変倍において、第１レンズ群は広角端よりも望遠端で物体側にあるように移動させるのが良い。その際、物体側へのみ移動させても良いし、像側に凸の軌跡で移動させても良い。
また、第２レンズ群は像側へのみ移動させても良いし、像側に凸の軌跡で移動させても良い。
【０１２４】
また、第３レンズ群は物体側へのみに移動させるのが良い。
また、第４レンズ群は物体側へのみ移動させても良いし、像側へのみ移動させても良い。あるいは物体側に凸、または像側に凸の軌跡で移動させても良い。
明るさ絞りおよびシャッターユニットは第２レンズ群と第３レンズ群の間に配置し、変倍時に第３レンズ群と一体で移動させると良い。
【０１２５】
入射瞳を物体側からみて近い位置に位置させることができ、射出瞳を像面から遠ざけやすくなる。また、軸外光線の高さが低くなる場所であるのでシャッターユニットが大型化せずにすみ、明るさ絞りおよびシャッターユニットを移動させるときのデッドスペースが小さくてすむ。
【０１２６】
また、第２４のズームレンズは、第１〜第２３のズームレンズにおいて、上述の各発明のズームレンズは、４群ズームレンズとすることが好ましい。
【０１２７】
レンズ群数を４つに抑えることで、沈胴時のコンパクト化に好ましい。
【０１２８】
また、第２５のズームレンズは、第１〜第２４のズームレンズにおいて、以下の条件式（１３）を満足することが好ましい。
【０１２９】
３．８＜ｆt／ｆw＜１０．０  ・・・（１３）
ただし、
ｆwは、広角端でのズームレンズ全系焦点距離、
ｆtは、望遠端でのズームレンズ全系焦点距離、
である。
【０１３０】
第２５のズームレンズにおいて上記構成をとった理由と作用を説明する。条件式（１３）の上限を上回らないようにすることで、レンズ群の移動量を抑えやすくし、全長を抑え易くなる。
【０１３１】
条件式（１３）の下限を下回らないようにすることで、本発明のサイズやコストの面でのメリットを生かしながら、撮影画角を変化させた撮影を行える。
【０１３２】
以下のようにすると更に好ましい。
４．３＜ｆt／ｆw＜７．０  ・・・(１３’）
以下を満足するとなお好ましい。
４．７＜ｆt／ｆw＜５．０  ・・・(１３’’）
これにより、さらに上述の効果を奏することができる。
【０１３３】
また、上述の各発明のズームレンズはテレセントリック性の確保もしやすい。そのため、本発明の電子撮像装置において、上述のズームレンズと、ズームレンズにより形成される光学像を電気信号に変換する電子撮像素子（ＣＣＤ、ＣＭＯＳ等）をズームレンズの像側に配置することも可能である。
上述の各発明の複数を任意に同時に満足させることがより好ましい。
【発明の効果】
【０１３４】
本発明は上述の説明から明らかなように、正屈折力を持つ第１レンズ群と負屈折力を持つ第２レンズ群に工夫を施すことで、第１レンズ群、第２レンズ群での構成レンズ枚数が少なくコンパクトとしても、光学性能を維持しやすいズームレンズを提供できる。
また、そのようなズームレンズを備えることで、小型化しやすい電子撮像装置を提供できる。
【発明を実施するための最良の形態】
【０１３５】
以下に、本発明に係るズームレンズ、撮像装置の実施例を図面に基づいて詳細に説明する。なお、この実施例によりこの発明が限定されるものではない。
【実施例】
【０１３６】
以下、本発明のズームレンズの実施例１〜９について説明する。実施例１〜９の無限遠物点合焦時の広角端（ａ）、中間状態（ｂ）、望遠端（ｃ）のレンズ断面図をそれぞれ図１〜図９に示す。図１〜図９中、第１レンズ群はＧ１、第２レンズ群はＧ２、開口絞りはＳ、第３レンズ群はＧ３、第４レンズ群はＧ４、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１３７】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１３８】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦物体側に移動したあと移動方向が反転して像側に移動する。
【０１３９】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、物体側に凸面を向けた第６負メニスカスレンズとで構成される。第４レンズ群Ｇ４は第７両凸正レンズで構成されている。
【０１４０】
非球面は、第３両凹負レンズの両面と、第５両凸正レンズの両面と、第７両凸正レンズの物体側の面との５面に用いている。
【０１４１】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１４２】
広角端から望遠端にかけての変倍時、第１レンズ群Ｇ１は物体側に移動し、第２レンズ群Ｇ２は一旦像側に移動したあと移動方向が反転して物体側に移動し、第３レンズ群Ｇ３は物体側に移動し、第４レンズ群Ｇ４は一旦物体側に移動したあと移動方向が反転して像側に移動する。
【０１４３】
物体側から順に、第１レンズ群Ｇ１は物体側に凸面を向けた第１負メニスカスレンズと第２両凸正レンズから構成される。第１負メニスカスレンズと第２両凸正レンズとは、接合されている。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは、接合されている。第４レンズ群Ｇ４は第８両凸正レンズで構成されている。
【０１４４】
非球面は、第３両凹負レンズの両面と、第５両凸正レンズの両面と、第８両凸正レンズの物体側の面との５面に用いている。
【０１４５】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１４６】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は物体側に移動する。
【０１４７】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは、接合されている。第４レンズ群Ｇ４は第８両凸正レンズで構成されている。
【０１４８】
非球面は、第３両凹負レンズの両面と、第５両凸正レンズの両面と、第８両凸正レンズの物体側の面との５面に用いている。
【０１４９】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１５０】
広角端から望遠端にかけての変倍時、第１レンズ群Ｇ１は物体側に移動し、第２レンズ群Ｇ２は一旦像側に移動したあと物体側に移動し、第３レンズ群Ｇ３は物体側に移動し、第４レンズ群Ｇ４は一旦物体側に移動したあと像側に移動する。
【０１５１】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、第６両凸正レンズと、第７両凹負レンズとで構成される。第６両凸正レンズと、第７両凹負レンズとは、接合されている。第４レンズ群Ｇ４は第８両凸正レンズで構成されている。
【０１５２】
非球面は、第３両凹負レンズの両面と、第５両凸正レンズの両面と、第８両凸正レンズの物体側の面との５面に用いている。
【０１５３】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１５４】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦物体側に移動したあと像側に移動する。
【０１５５】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、物体側に凸面を向けた第６正メニスカスレンズと、物体側に凸面を向けた第７負メニスカスレンズとで構成される。第６正メニスカスレンズと、第７負メニスカスレンズとは、接合されている。第４レンズ群Ｇ４は第８両凸正レンズで構成されている。
【０１５６】
非球面は、第２両凸正レンズの像側の面と、第３両凹負レンズの両面と、第５両凸正レンズの両面と、第８両凸正レンズの物体側の面との６面に用いている。
【０１５７】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１５８】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦物体側に移動したあと像側に移動する。
【０１５９】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、物体側に凸面を向けた第６正メニスカスレンズと、物体側に凸面を向けた第７負メニスカスレンズとで構成される。第６正メニスカスレンズと、第７負メニスカスレンズとは、接合されている。第４レンズ群Ｇ４は第８両凸正レンズで構成されている。
【０１６０】
非球面は、第２両凸正レンズの像側の面と、第３両凹負レンズの両面と、第５両凸正レンズの両面と、第８両凸正レンズの物体側の面との６面に用いている。
【０１６１】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１６２】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦物体側に移動したあと像側に移動する。
【０１６３】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、物体側に凸面を向けた第６正メニスカスレンズと、物体側に凸面を向けた第７負メニスカスレンズとで構成される。第６正メニスカスレンズと、第７負メニスカスレンズとは、接合されている。第４レンズ群Ｇ４は第８両凸正レンズで構成されている。
【０１６４】
非球面は、第２両凸正レンズの像側の面と、第３両凹負レンズの両面と、第５両凸正レンズの両面と、第８両凸正レンズの物体側の面との６面に用いている。
【０１６５】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１６６】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦物体側に移動したあと像側に移動する。
【０１６７】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、物体側に凸面を向けた第６正メニスカスレンズと、物体側に凸面を向けた第７負メニスカスレンズとで構成される。第６正メニスカスレンズと、第７負メニスカスレンズとは、接合されている。第４レンズ群Ｇ４は第８両凸正レンズで構成されている。
【０１６８】
非球面は、第２両凸正レンズの像側の面と、第３両凹負レンズの両面と、第５両凸正レンズの両面と、第８両凸正レンズの物体側の面との６面に用いている。
【０１６９】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４とを配置している。
【０１７０】
広角端から望遠端にかけての変倍時、第１レンズ群Ｇ１は物体側に移動し、第２レンズ群Ｇ２は像側に移動し、第３レンズ群Ｇ３は物体側に移動し、第４レンズ群Ｇ４は一旦物体側に移動したあと像側に移動する。
【０１７１】
物体側から順に、第１レンズ群Ｇ１は物体側に凸面を向けた第１負メニスカスレンズと第２両凸正レンズから構成される。第２レンズ群Ｇ２は第３両凹負レンズと、物体側に凸面を向けた第４正メニスカスレンズとで構成される。第３レンズ群Ｇ３は第５両凸正レンズと、物体側に凸面を向けた第６正メニスカスレンズと、物体側に凸面を向けた第７負メニスカスレンズとで構成される。第６正メニスカスレンズと、第７負メニスカスレンズとは、接合されている。第４レンズ群Ｇ４は第８両凸正レンズで構成されている。
【０１７２】
非球面は、第２両凸正レンズの像側の面と、第３両凹負レンズの両面と、第５両凸正レンズの両面と、第８両凸正レンズの物体側の面との６面に用いている。
【０１７３】
以下に、上記各実施例の数値データを示す。記号は上記の外、ｆは全系焦点距離、ＦNOはＦナンバー、ωは半画角、ＷＥは広角端、ＳＴは中間状態、ＴＥは望遠端、ｒ1、ｒ2…は各レンズ面の曲率半径、ｄ1、ｄ2…は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１７４】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10＋Ａ12ｙ12
ただし、ｒは近軸曲率半径、Ｋは円錐係数、Ａ4 、Ａ6 、Ａ8 、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１７５】
実施例１
ｒ1 =   21.447            ｄ1 =  0.80     ｎd1 =  1.92286     νd1 =  18.90
ｒ2 =   16.568            ｄ2 =  0.33
ｒ3 =   19.065            ｄ3 =  3.00     ｎd2 =  1.72916     νd2 =  54.68
ｒ4 = -635.214            ｄ4 =（可変） 
ｒ5 =  -27.371（非球面）  ｄ5 =  1.00     ｎd3 =  1.88300     νd3 =  40.76
ｒ6 =    5.547（非球面）  ｄ6 =  1.71
ｒ7 =   10.368            ｄ7 =  2.16     ｎd4 =  1.92286     νd4 =  18.90
ｒ8 =   32.087            ｄ8 =（可変） 
ｒ9 =     ∞（絞り）      ｄ9 =  0.10
ｒ10=    4.015（非球面）  ｄ10=  2.14     ｎd5 =  1.58313     νd5 =  59.38
ｒ11=  -20.737（非球面）  ｄ11=  0.07
ｒ12=    6.067            ｄ12=  1.07     ｎd6 =  1.92286     νd6 =  20.88
ｒ13=    3.042            ｄ13=（可変） 
ｒ14=   13.673（非球面）  ｄ14=  2.68     ｎd7 =  1.52542     νd7 =  55.78
ｒ15=  -65.892            ｄ15=（可変）
ｒ16=     ∞              ｄ16=  0.50     ｎd8 =  1.54771     νd8 =  62.84
ｒ17=     ∞              ｄ17=  0.50
ｒ18=     ∞              ｄ18=  0.50     ｎd9 =  1.51633     νd9 =  64.14
ｒ19=     ∞              ｄ19=  0.50
ｒ20=     ∞（撮像面）
非球面係数
第5面
Ｒ =  -27.371  
Ｋ =    0.065
Ａ4 =    2.93685e-04   
Ａ6 =   -1.29521e-05    
Ａ8 =    2.63539e-07  
Ａ10=   -7.77717e-10  
第6面
Ｒ =    5.547    
Ｋ =   -0.216
Ａ4 =   -2.74527e-04    
Ａ6 =    5.81879e-06   
Ａ8 =   -2.46028e-06   
Ａ10=    7.68048e-08  
第10面
Ｒ =    4.015     
Ｋ =   -0.052
Ａ4 =   -1.29073e-03     
Ａ6 =   -6.12402e-06     
Ａ8 =    1.86699e-06  
第11面
Ｒ =  -20.737   
Ｋ =    0.000
Ａ4 =    7.99142e-04    
Ａ6 =    6.56260e-05    
Ａ8 =    4.48582e-06  
第14面
Ｒ =   13.673     
Ｋ =   -0.880
Ａ4 =    3.32538e-05   
Ａ6 =    3.03636e-05    
Ａ8 =   -2.12591e-06   
Ａ10=    6.32654e-08  
ズームデータ（∞）
ＷＥ     ＳＴ      ＴＥ          
ｆ（mm）        6.60     14.49     31.76
ＦNO             4.47      5.71      5.99
２ω（°）     62.67     29.43     13.60
ｄ4              1.18      7.61     17.27  
ｄ8             12.07      5.03      0.55  
ｄ13             4.74      8.30      9.73  
ｄ15             3.31      4.30      3.77  
【０１７６】
実施例２
ｒ1 =   22.824            ｄ1 =  0.80     ｎd1 =  1.84666     νd1 =  23.78
ｒ2 =   14.601            ｄ2 =  2.82     ｎd2 =  1.72916     νd2 =  54.68
ｒ3 =  414.790            ｄ3 =（可変） 
ｒ4 =  -19.623（非球面）  ｄ4 =  0.90     ｎd3 =  1.80495     νd3 =  40.90
ｒ5 =    5.406（非球面）  ｄ5 =  1.71
ｒ6 =    8.975            ｄ6 =  2.07     ｎd4 =  1.92286     νd4 =  18.90
ｒ7 =   20.246            ｄ7 =（可変）  
ｒ8 =     ∞（絞り）      ｄ8 =  0.10
ｒ9 =    5.364（非球面）  ｄ9 =  2.57     ｎd5 =  1.58313     νd5 =  59.38
ｒ10=  -16.396（非球面）  ｄ10=  0.10
ｒ11=    8.877            ｄ11=  2.16     ｎd6 =  1.72916     νd6 =  54.68
ｒ12=   -5.099            ｄ12=  0.40     ｎd7 =  1.80100     νd7 =  34.97
ｒ13=    4.240            ｄ13=（可変） 
ｒ14=   11.188（非球面）  ｄ14=  2.14     ｎd8 =  1.52542     νd8 =  55.78
ｒ15= -171.452            ｄ15=（可変）  
ｒ16=     ∞              ｄ16=  0.50     ｎd9 =  1.54771     νd9 =  62.84
ｒ17=     ∞              ｄ17=  0.50
ｒ18=     ∞              ｄ18=  0.50     ｎd10=  1.51633     νd10=  64.14
ｒ19=     ∞              ｄ19=  0.50
ｒ20=     ∞（撮像面）
非球面係数
第4面
Ｒ =  -19.623    
Ｋ =    0.089
Ａ4 =    8.04207e-04     
Ａ6 =   -2.03534e-05     
Ａ8 =    2.82387e-07      
Ａ10=   -1.69194e-09  
第5面
Ｒ =    5.406      
Ｋ =   -0.329
Ａ4 =    4.28184e-04     
Ａ6 =    2.10097e-05     
Ａ8 =   -1.65174e-06    
Ａ10=    1.28854e-08  
第9面
Ｒ =    5.364     
Ｋ =   -0.166
Ａ4 =   -2.03573e-04      
Ａ6 =    4.18417e-05      
Ａ8 =    3.69979e-06  
第10面
Ｒ =  -16.396     
Ｋ =    0.000
Ａ4 =    9.35195e-04      
Ａ6 =    6.75272e-05      
Ａ8 =    5.30410e-06  
第14面
Ｒ =   11.188       
Ｋ =   -1.490
Ａ4 =    5.63156e-05      
Ａ6 =    1.24846e-05       
Ａ8 =   -1.04700e-06       
Ａ10=    3.12395e-08  
ズームデータ（∞）
ＷＥ     ＳＴ      ＴＥ          
ｆ（mm）        6.61     14.38     31.74
ＦNO             3.60      4.46      6.02
２ω（°）     62.90     29.44     13.45
ｄ3              1.26      7.82     13.73  
ｄ7             12.51      5.36      1.54  
ｄ13             4.42      6.52     14.10  
ｄ15             2.69      4.42      3.00  
【０１７７】
実施例３
ｒ1 =   23.457            ｄ1 =  0.80     ｎd1 =  1.84666     νd1 =  23.78
ｒ2 =   14.154            ｄ2 =  0.40
ｒ3 =   15.271            ｄ3 =  3.00     ｎd2 =  1.77250     νd2 =  49.60
ｒ4 = -215.758            ｄ4 =（可変）  
ｒ5 =  -23.097（非球面）  ｄ5 =  1.00     ｎd3 =  1.80495     νd3 =  40.90
ｒ6 =    5.348（非球面）  ｄ6 =  1.40
ｒ7 =    8.580            ｄ7 =  2.00     ｎd4 =  1.92286     νd4 =  18.90
ｒ8 =   18.871            ｄ8 =（可変）  
ｒ9 =     ∞(絞り)        ｄ9 =  0.10
ｒ10=    5.766（非球面）  ｄ10=  2.45     ｎd5 =   1.58313    νd5 =  59.38
ｒ11=  -10.882（非球面）  ｄ11=  0.10
ｒ12=   15.328            ｄ12=  1.44     ｎd6 =  1.69680     νd6 =  55.53
ｒ13=  -15.328            ｄ13=  1.22     ｎd7 =  1.68893     νd7 =  31.07
ｒ14=    4.089            ｄ14=（可変）  
ｒ15=   14.324（非球面）  ｄ15=  2.60     ｎd8 =  1.52542     νd8 =  55.78
ｒ16=  -27.378            ｄ16=（可変） 
ｒ17=     ∞              ｄ17=  0.50     ｎd9 =  1.54771     νd9 =  62.84
ｒ18=     ∞              ｄ18=  0.50
ｒ19=     ∞              ｄ19=  0.50     ｎd10=  1.51633     νd10=  64.14
ｒ20=     ∞              ｄ20=  0.45
ｒ21=     ∞（撮像面）
非球面係数
第5面
Ｒ =  -23.097    
Ｋ =    0.089
Ａ4 =    1.80967e-04     
Ａ6 =   -1.62280e-07    
Ａ8 =    3.96691e-08    
Ａ10=   -7.98836e-10  
第6面
Ｒ =    5.348      
Ｋ =   -0.296
Ａ4 =   -1.84110e-04      
Ａ6 =    1.36361e-07    
Ａ8 =    1.68053e-07   
Ａ10=   -1.07186e-09  
第10面
Ｒ =    5.766    
Ｋ =   -1.073
Ａ4 =   -9.79726e-05    
Ａ6 =    1.50579e-06  
第11面
Ｒ =  -10.882   
Ｋ =    7.693
Ａ4 =    1.32858e-03    
Ａ6 =    3.01907e-05  
Ａ8 =    2.16650e-08  
Ａ10=    6.54410e-11  
第15面
Ｒ =   14.324    
Ｋ =   -0.001
Ａ4 =    4.02883e-05  
Ａ6 =    5.91976e-06   
Ａ8 =   -1.61602e-07  
Ａ10=    2.12392e-09  
ズームデータ（∞）
ＷＥ     ＳＴ      ＴＥ          
ｆ（mm）        6.62     14.37     32.09
ＦNO             3.83      5.11      6.00
２ω（°）     62.68     29.65     13.53
ｄ4              0.88      5.76     12.75  
ｄ8             13.63      6.80      1.53  
ｄ14             4.27      9.62     13.30  
ｄ16             3.19      3.12      2.96  
【０１７８】
実施例４
ｒ1 =    18.613            ｄ1 =  0.83     ｎd1 =  2.00170     νd1 =  20.64
ｒ2 =    14.132            ｄ2 =  0.32
ｒ3 =    15.458            ｄ3 =  3.00     ｎd2 =  1.72916     νd2 =  54.68
ｒ4 = -7762.115            ｄ4 =（可変）  
ｒ5 =   -19.900（非球面）  ｄ5 =  1.00     ｎd3 =  1.80495     νd3 =  40.90
ｒ6 =     4.735（非球面）  ｄ6 =  1.32
ｒ7 =     7.926            ｄ7 =  2.25     ｎd4 =  2.00170     νd4 =  20.64
ｒ8 =    18.204            ｄ8 =（可変）  
ｒ9 =      ∞(絞り)        ｄ9=  0.10
ｒ10=     5.243（非球面）  ｄ10=  2.14     ｎd5 =  1.58313     νd5 =  59.38
ｒ11=   -14.423（非球面）  ｄ11=  0.10
ｒ12=    13.297            ｄ12=  1.41     ｎd6 =  1.69680     νd6 =  55.53
ｒ13=   -13.297            ｄ13=  0.84     ｎd7 =  1.68893     νd7 =  31.07
ｒ14=     4.302            ｄ14=（可変） 
ｒ15=    12.620（非球面）  ｄ15=  2.32     ｎd8 =  1.52542     νd8 =  55.78
ｒ16=   -41.640            ｄ16=（可変） 
ｒ17=      ∞              ｄ17=  0.50     ｎd9 =  1.54771     νd9 =  62.84
ｒ18=      ∞              ｄ18=  0.50
ｒ19=      ∞              ｄ19=  0.50     ｎd10=  1.51633     νd10=  64.14
ｒ20=      ∞              ｄ20=  0.50
ｒ21=      ∞（撮像面）
非球面係数
第5面
Ｒ =  -19.900   
Ｋ =    0.089
Ａ4 =    7.68359e-04    
Ａ6 =   -2.74885e-05    
Ａ8 =    5.05160e-07  
Ａ10=   -3.51817e-09  
第6面
Ｒ =    4.735   
Ｋ =   -0.296
Ａ4 =    2.06227e-04  
Ａ6 =    1.05145e-05   
Ａ8 =   -3.20724e-06  
Ａ10=    5.51277e-08  
第10面
Ｒ =    5.243    
Ｋ =   -0.166
Ａ4 =   -3.57087e-04  
Ａ6 =    6.29255e-05   
Ａ8 =   -2.02800e-07   
Ａ10=    1.01728e-06  
第11面
Ｒ =  -14.423   
Ｋ =    0.000
Ａ4 =    1.07710e-03   
Ａ6 =    7.69622e-05   
Ａ8 =    3.07399e-06   
Ａ10=    1.50112e-06  
第15面
Ｒ =   12.620    
Ｋ =   -1.490
Ａ4 =    5.63156e-05 
Ａ6 =    3.25061e-06      
Ａ8 =   -1.24032e-07    
Ａ10=    2.58656e-09  
ズームデータ（∞）
ＷＥ     ＳＴ      ＴＥ          
ｆ（mm）        6.62     14.41     31.64
ＦNO             3.82      4.77      6.00
２ω（°）     62.97     29.10     13.54
ｄ4              1.12      7.18     12.54  
ｄ8             12.66      6.25      1.55  
ｄ14             5.19      8.85     14.31  
ｄ16             3.01      3.57      3.17  
【０１７９】
実施例５
ｒ1 =    84.159            ｄ1 =  0.80     ｎd1 =  2.00170     νd1 =  20.64
ｒ2 =    34.486            ｄ2 =  0.10
ｒ3 =    22.651            ｄ3 =  2.64     ｎd2 =  1.76802     νd2 =   49.24
ｒ4 =   -68.862（非球面）  ｄ4 =（可変） 
ｒ5 =   -22.850（非球面）  ｄ5 =  0.87     ｎd3 =  1.88300     νd3 =  40.76
ｒ6 =     5.672（非球面）  ｄ6 =  1.94
ｒ7 =    11.112            ｄ7 =  2.21     ｎd4 =  1.94595     νd4 =  17.98
ｒ8 =    35.757            ｄ8 =（可変）  
ｒ9 =      ∞（絞り）      ｄ9 =  0.10
ｒ10=     4.712（非球面）  ｄ10=  2.61     ｎd5 =  1.58913     νd5 =  61.14
ｒ11=   -14.330（非球面）  ｄ11=  0.10
ｒ12=     7.122            ｄ12=  1.40     ｎd6 =  1.73400     νd6 =  51.47
ｒ13=    38.362            ｄ13=  0.80     ｎd7 =  2.00069     νd7 =  25.46
ｒ14=     3.667            ｄ14=（可変） 
ｒ15=    14.436（非球面）  ｄ15=  2.07     ｎd8 =  1.74330     νd8 =  49.33
ｒ16=   -91.806            ｄ16=（可変） 
ｒ17=      ∞              ｄ17=  0.40     ｎd9 =  1.54771     νd9 =  62.84
ｒ18=      ∞              ｄ18=  0.50
ｒ19=      ∞              ｄ19=  0.50     ｎd10=  1.51633     νd10=  64.14
ｒ20=      ∞              ｄ20=  0.35
ｒ21=      ∞（撮像面）
非球面係数
第4面
Ｒ =  -68.862  
Ｋ =    0.000
Ａ4 =    1.40060e-05  
Ａ6 =    4.74804e-08    
Ａ8 =   -1.12302e-09   
Ａ10=    6.63012e-12  
第5面
Ｒ =  -22.850   
Ｋ =    0.005
Ａ4 =    4.03460e-04 
Ａ6 =   -7.22829e-06   
Ａ8 =    6.48822e-08  
Ａ10=   -8.73779e-11  
第6面
Ｒ =    5.672   
Ｋ =   -0.125
Ａ4 =   -1.79384e-04  
Ａ6 =    1.31075e-05  
Ａ8 =   -1.16124e-06  
Ａ10=    8.98567e-09  
第10面
Ｒ =    4.712  
Ｋ =   -0.084
Ａ4 =   -3.51732e-04   
Ａ6 =    2.84641e-05  
Ａ8 =    5.84562e-06   
Ａ10=    4.88769e-07  
第11面
Ｒ =  -14.330   
Ｋ =    0.000
Ａ4 =    1.77733e-03   
Ａ6 =    5.54637e-05  
Ａ8 =    1.61880e-05   
Ａ10=    5.93748e-07  
第15面
Ｒ =   14.436   
Ｋ =    0.000
Ａ4 =   -4.85530e-05  
Ａ6 =    2.21564e-05  
Ａ8 =   -1.01006e-06  
Ａ10=    1.88543e-08  
ズームデータ（∞）
ＷＥ     ＳＴ      ＴＥ          
ｆ（mm）        5.06     12.01     24.25
ＦNO             3.39      4.97      5.05
２ω（°）     79.96     35.52     17.47
ｄ4              0.65      4.60     15.76  
ｄ8             12.81      4.53      1.33  
ｄ14             2.79      8.13      8.51  
ｄ16             2.64      3.14      2.93  
【０１８０】
実施例６
ｒ1 =    62.175            ｄ1 =  0.80     ｎd1 =  2.00170     νd1 =  20.64
ｒ2 =    30.238            ｄ2 =  0.10
ｒ3 =    22.683            ｄ3 =  2.74     ｎd2 =  1.76802     νd2 =  49.24
ｒ4 =   -70.003（非球面）  ｄ4 =（可変） 
ｒ5 =   -21.636（非球面）  ｄ5 =  0.87     ｎd3 =  1.83481     νd3 =  42.71
ｒ6 =     5.619（非球面）  ｄ6 =  2.02
ｒ7 =    11.015            ｄ7 =  2.12     ｎd4 =  1.94595     νd4 =  17.98
ｒ8 =    28.744            ｄ8 =（可変）  
ｒ9 =      ∞（絞り）      ｄ9 =  0.10
ｒ10=     4.673（非球面）  ｄ10=  2.61     ｎd5 =  1.58913     νd5 =  61.14
ｒ11=   -14.486（非球面）  ｄ11=  0.10
ｒ12=     6.566            ｄ12=  1.30     ｎd6 =  1.67790     νd6 =  50.72
ｒ13=    28.591            ｄ13=  0.80     ｎd7 =  2.00069     νd7 =  25.46
ｒ14=     3.627            ｄ14=（可変） 
ｒ15=    13.996（非球面）  ｄ15=  2.07     ｎd8 =  1.74330     νd8 =  49.33
ｒ16=  -127.391            ｄ16=（可変） 
ｒ17=      ∞              ｄ17=  0.40     ｎd9 =  1.54771     νd9 =  62.84
ｒ18=      ∞              ｄ18=  0.50
ｒ19=      ∞              ｄ19=  0.50     ｎd10=  1.51633     νd10=  64.14
ｒ20=      ∞              ｄ20=  0.35
ｒ21=      ∞（撮像面）
非球面係数
第4面
Ｒ =  -70.003  
Ｋ =    0.000
Ａ4 =    1.20840e-05  
Ａ6 =    7.76197e-08   
Ａ8 =   -1.68487e-09   
Ａ10=    1.05563e-11  
第5面
Ｒ =  -21.636   
Ｋ =    0.004
Ａ4 =    4.00902e-04   
Ａ6 =   -7.46870e-06   
Ａ8 =    7.98424e-08  
Ａ10=   -2.55494e-10  
第6面
Ｒ =    5.619  
Ｋ =   -0.119
Ａ4 =   -1.83831e-04   
Ａ6 =    1.27460e-05  
Ａ8 =   -1.17445e-06  
Ａ10=    9.45337e-09  
第10面
Ｒ =    4.673    
Ｋ =   -0.080
Ａ4 =   -3.64410e-04   
Ａ6 =    3.88128e-05  
Ａ8 =    3.87823e-06  
Ａ10=    7.28414e-07  
第11面
Ｒ =  -14.486  
Ｋ =    0.000
Ａ4 =    1.77598e-03  
Ａ6 =    8.31238e-05  
Ａ8 =    9.04999e-06  
Ａ10=    1.61068e-06  
第15面
Ｒ =   13.996    
Ｋ =    0.000
Ａ4 =   -4.62486e-05  
Ａ6 =    2.50668e-05 
Ａ8 =   -1.31854e-06    
Ａ10=    2.85912e-08  
ズームデータ（∞）
ＷＥ     ＳＴ      ＴＥ          
ｆ（mm）        5.06     12.03     24.30
ＦNO             3.38      4.95      5.05
２ω（°）     80.22     35.50     17.42
ｄ4              0.67      4.59     15.71  
ｄ8             12.79      4.54      1.39  
ｄ14             2.79      8.12      8.57  
ｄ16             2.63      3.11      2.92  
【０１８１】
実施例７
ｒ1 =    94.096            ｄ1 =  0.80     ｎd1 =  2.00170     νd1 =  20.64
ｒ2 =    36.640            ｄ2 =  0.10
ｒ3 =    23.265            ｄ3 =  2.68     ｎd2 =  1.76802     νd2 =  49.24
ｒ4 =   -65.988（非球面）  ｄ4 =（可変） 
ｒ5 =   -20.758（非球面）  ｄ5 =  0.87     ｎd3 =  1.88300     νd3 =  40.76
ｒ6 =     5.946（非球面）  ｄ6 =  2.00
ｒ7 =    13.375            ｄ7 =  1.88     ｎd4 =  2.10227     νd4 =  17.10
ｒ8 =    42.000            ｄ8 =（可変）   
ｒ9 =     ∞（絞り）       ｄ9 =  0.10
ｒ10=     4.646（非球面）  ｄ10=  2.61     ｎd5 =  1.58913     νd5 =  61.14
ｒ11=   -14.474（非球面）  ｄ11=  0.10
ｒ12=     6.683            ｄ12=  1.31     ｎd6 =  1.67790     νd6 =  50.72
ｒ13=    34.534            ｄ13=  0.80     ｎd7 =  2.00069     νd7 =  25.46
ｒ14=     3.633            ｄ14=（可変）   
ｒ15=    14.262（非球面）  ｄ15=  2.07     ｎd8 =  1.74330     νd8 =  49.33
ｒ16=   -68.293            ｄ16=（可変）   
ｒ17=     ∞               ｄ17=  0.40     ｎd9 =  1.54771     νd9 =  62.84
ｒ18=     ∞               ｄ18=  0.50
ｒ19=     ∞               ｄ19=  0.50     ｎd10=  1.51633     νd10=  64.14
ｒ20=     ∞               ｄ20   0.40
ｒ21=     ∞（撮像面）
非球面係数
第4面
Ｒ =  -65.988    
Ｋ =    0.000
Ａ4 =    1.39994e-05  
Ａ6 =    4.31110e-08  
Ａ8 =   -9.73594e-10  
Ａ10=    5.44916e-12  
第5面
Ｒ =  -20.758   
Ｋ =    0.005
Ａ4 =    3.78537e-04   
Ａ6 =   -5.56165e-06    
Ａ8 =    2.61919e-08   
Ａ10=    2.68069e-10  
第6面
Ｒ =    5.946   
Ｋ =   -0.124
Ａ4 =   -2.24793e-04   
Ａ6 =    1.51367e-05  
Ａ8 =   -1.22207e-06   
Ａ10=    1.37423e-08  
第10面
Ｒ =    4.646    
Ｋ =   -0.078
Ａ4 =   -3.99703e-04   
Ａ6 =    3.77334e-05  
Ａ8 =    3.98996e-06    
Ａ10=    7.39900e-07  
第11面
Ｒ =  -14.474    
Ｋ =    0.000
Ａ4 =    1.73950e-03   
Ａ6 =    8.20306e-05  
Ａ8 =    9.91441e-06  
Ａ10=    1.46222e-06  
第15面
Ｒ =    14.262    
Ｋ =     0.000
Ａ4 =    -6.90526e-05   
Ａ6 =     2.21932e-05  
Ａ8 =    -9.10533e-07   
Ａ10=     1.48759e-08  
ズームデータ（∞）
ＷＥ     ＳＴ      ＴＥ          
ｆ（mm）        5.06     11.93     24.27
ＦNO             3.40      4.98      5.05
２ω（°）     80.76     35.88     17.48
ｄ4              0.67      4.54     15.84  
ｄ8             12.77      4.58      1.31  
ｄ14             2.83      8.28      8.63  
ｄ16             2.62      3.08      2.92  
【０１８２】
実施例８
ｒ1 =    58.074            ｄ1 =  0.80     ｎd1 =  2.00170     νd1 =  20.64
ｒ2 =    29.126            ｄ2 =  0.10
ｒ3 =    22.139            ｄ3 =  2.59     ｎd2 =  1.76802     νd2 =  49.24
ｒ4 =   -78.668（非球面）  ｄ4 =（可変）    
ｒ5 =   -25.718（非球面）  ｄ5 =  0.87     ｎd3 =  1.88300     νd3 =  40.76
ｒ6 =     5.522（非球面）  ｄ6 =  1.79
ｒ7 =    10.009            ｄ7 =  2.14     ｎd4 =  1.94595     νd4 =  17.98
ｒ8 =    26.958            ｄ8 =（可変）   
ｒ9 =     ∞（絞り）       ｄ9 =  1.56
ｒ10=     5.426（非球面）  ｄ10=  2.61     ｎd5 =  1.58913     νd5 =  61.14
ｒ11=   -11.325（非球面）  ｄ11=  0.10
ｒ12=     6.525            ｄ12=  1.54     ｎd6 =  1.69680     νd6 =  55.53
ｒ13=    23.505            ｄ13=  0.80     ｎd7 =  2.00069     νd7 =  25.46
ｒ14=     3.652            ｄ14=（可変）  
ｒ15=    14.723（非球面）  ｄ15=  2.07     ｎd8 =  1.74330     νd8 =  49.33
ｒ16=   -65.589            ｄ16=（可変）  
ｒ17=      ∞              ｄ17=  0.40     ｎd9 =  1.54771     νd9 =  62.84
ｒ18=      ∞              ｄ18=  0.50
ｒ19=      ∞              ｄ19=  0.50     ｎd10=  1.51633     νd10=  64.14
ｒ20=      ∞              ｄ20=  0.35
ｒ21=      ∞（撮像面）
非球面係数
第4面
Ｒ =  -78.668   
Ｋ =    0.000
Ａ4 =    1.24220e-05   
Ａ6 =    2.39631e-08  
Ａ8 =   -6.58210e-10  
Ａ10=    3.80349e-12  
第5面
Ｒ =  -25.718  
Ｋ =    0.004
Ａ4 =    4.03510e-04    
Ａ6 =   -1.13800e-05  
Ａ8 =    1.76519e-07   
Ａ10=   -9.01353e-10  
第6面
Ｒ =    5.522   
Ｋ =   -0.098
Ａ4 =   -1.95478e-04  
Ａ6 =    1.65430e-05    
Ａ8 =   -2.04581e-06   
Ａ10=    3.13050e-08  
第10面
Ｒ =    5.426   
Ｋ =   -0.062
Ａ4 =   -7.09426e-04  
Ａ6 =    1.45894e-05 
Ａ8 =   -1.51869e-06  
Ａ10=    3.20154e-07  
第11面
Ｒ =  -11.325  
Ｋ =    0.000
Ａ4 =    7.97676e-04  
Ａ6 =    3.43174e-05  
Ａ8 =   -2.71403e-06  
Ａ10=    4.90147e-07  
第15面
Ｒ =   14.723    
Ｋ =    0.000
Ａ4 =   -3.54230e-05   
Ａ6 =    1.63624e-05  
Ａ8 =   -6.04370e-07  
Ａ10=    9.12960e-09  
ズームデータ（∞）
ＷＥ     ＳＴ      ＴＥ          
ｆ（mm）        5.06     11.98     24.27
ＦNO             3.16      4.67      5.05
２ω（°）     80.53     35.52     17.46
ｄ4              0.64      4.47     15.72  
ｄ8             11.04      3.51      1.29  
ｄ14             2.77      8.06      8.79  
ｄ16             2.60      3.16      2.95  
【０１８３】
実施例９
ｒ1 =    99.053            ｄ1 =  0.80     ｎd1 =  2.00170     νd1 =  20.64
ｒ2 =    36.640            ｄ2 =  0.10
ｒ3 =    23.602            ｄ3 =  2.72     ｎd2 =  1.76802     νd2 =  49.24
ｒ4 =   -61.570（非球面）  ｄ4 =（可変）   
ｒ5 =   -18.955（非球面）  ｄ5 =  0.84     ｎd3 =  1.81600     νd3 =  46.62
ｒ6 =     6.082（非球面）  ｄ6 =  2.15
ｒ7 =    15.037            ｄ7 =  1.72     ｎd4 =  2.10227     νd4 =  17.10
ｒ8 =    42.000            ｄ8 =（可変）   
ｒ9 =      ∞（絞り）      ｄ9 =  0.10
ｒ10=     4.594（非球面）  ｄ10=  2.61     ｎd5 =   1.58913    νd5 =  61.14
ｒ11=   -14.782（非球面）  ｄ11=  0.10
ｒ12=     7.013            ｄ12=  1.29     ｎd6 =  1.67790     νd6 =  50.72
ｒ13=    35.080            ｄ13=  0.80     ｎd7 =  2.00069     νd7 =  25.46
ｒ14=     3.735            ｄ14=（可変）  
ｒ15=    14.317（非球面）  ｄ15=  2.07     ｎd8 =  1.74330     νd8 =  49.33
ｒ16=   -56.567            ｄ16=（可変）  
ｒ17=      ∞              ｄ17=  0.40     ｎd9 =  1.54771     νd9 =  62.84
ｒ18=      ∞              ｄ18=  0.50
ｒ19=      ∞              ｄ19=  0.50     ｎd10=  1.51633     νd10=  64.14
ｒ20=      ∞              ｄ20=  0.37
ｒ21=      ∞（撮像面）
非球面係数
第4面
Ｒ =  -61.570  
Ｋ =    0.000
Ａ4 =    1.41315e-05  
Ａ6 =    4.18374e-08  
Ａ8 =   -9.02777e-10  
Ａ10=    4.86502e-12  
第5面
Ｒ =  -18.955  
Ｋ =    0.005
Ａ4 =    4.04887e-04  
Ａ6 =   -6.53532e-06 
Ａ8 =    6.53892e-08 
Ａ10=   -1.64331e-10  
第6面
Ｒ =    6.082   
Ｋ =   -0.124
Ａ4 =   -1.71542e-04  
Ａ6 =    1.45171e-05  
Ａ8 =   -1.17570e-06  
Ａ10=    1.72357e-08  
第10面
Ｒ =    4.594  
Ｋ =   -0.078
Ａ4 =   -3.30111e-04  
Ａ6 =    4.86037e-05  
Ａ8 =    3.10752e-06 
Ａ10=    9.98370e-07  
第11面
Ｒ =   -14.782  
Ｋ =    0.000
Ａ4 =    1.89564e-03  
Ａ6 =    1.06499e-04 
Ａ8 =    6.77189e-06   
Ａ10=    2.31800e-06  
第15面
Ｒ =   14.317   
Ｋ =    0.000
Ａ4 =   -7.77744e-05  
Ａ6 =    1.98878e-05  
Ａ8 =   -7.24814e-07  
Ａ10=    9.65808e-09  
ズームデータ（∞）
ＷＥ     ＳＴ      ＴＥ          
ｆ（mm）        5.06     11.89     24.27
ＦNO             3.37      4.92      4.99
２ω（°）     81.17     35.94     17.43
ｄ4              0.67      4.57     15.91
ｄ8             12.76      4.53      1.15
ｄ14             2.81      8.30      8.66
ｄ16             2.67      3.09      2.96
【０１８４】
以上の実施例１〜９の無限遠物点合焦時の収差図をそれぞれ図１０〜図１８に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。
【０１８５】
次に、各実施例における上記各条件式の値を掲げる。
（条件式の値）
実施例１   実施例２  実施例３  実施例４  実施例５
(1) ｎd2n                 1.88300   1.80495   1.80495   1.80495   1.88300 
(2) νd2n                 40.76     40.9      40.9      40.9      40.76
(Ａ) ｜ｆ1n｜／ｆt        2.697     1.579     1.367     2.042     2.425 
(Ｂ) ｜ｆ2n｜／ｆt        0.162     0.163     0.166     0.148     0.209 
(Ｃ) ｜ｆ1n｜／｜ｆ2n｜   16.63     9.67      8.26      13.84     11.59 
(Ｄ) ｜ｆ1n｜／ｆ1p       3.368     2.421     2.363     3.053     2.616 
(3) ＳＦ2p               -1.955    -2.593    -2.667    -2.542    -1.902 
(4) ｜ｆ2／ｆt｜         0.273     0.266     0.270     0.255     0.351 
(5) ｎd2p                 1.92286   1.92286   1.92286   2.0017    1.94595
(6) νd2p                 18.90     18.90     18.90     20.64     17.98 
(7) ＳＦ2n                0.663     0.568     0.624     0.616     0.602 
(8) （｜ａｓｐ2nf｜＋｜ａｓｐ2nr｜）／ｆw 
0.054     0.059     0.057     0.090     0.131 
(9) Ｌ1np／Ｌ1            0.079     −        0.095     0.077     0.028
(10) ｆ1／ｆt            1.161     1.145     1.010     1.021     1.492 
(11) ｆ3／ｆt            0.326     0.314     0.333     0.328     0.381 
(12) ｆ4／ｆt            0.586     0.539     0.490     0.502     0.594 
(13) ｆt／ｆw            4.810     4.800     4.847     4.781     4.791 
実施例６     実施例７     実施例８     実施例９
(1) ｎd2n                 1.83481      1.88300      1.88300      1.81600 
(2) νd2n                 42.71        40.76        40.76        46.62
(Ａ) ｜ｆ1n｜／ｆt        2.449        2.486        2.438        2.407 
(Ｂ) ｜ｆ2n｜／ｆt        0.217        0.212        0.209        0.229 
(Ｃ) ｜ｆ1n｜／｜ｆ2n｜   11.30        11.70        11.64        10.51 
(Ｄ) ｜ｆ1n｜／ｆ1p       2.634        2.658        2.600        2.594 
(3) ＳＦ2p               -2.243       -1.935       -2.181       -2.115 
(4) ｜ｆ2／ｆt｜         0.348        0.353        0.349        0.357 
(5) ｎd2p                 1.94595      2.10226      1.94595      2.10226
(6) νd2p                 17.98        17.10        17.98        17.1
(7) ＳＦ2n                0.588        0.555        0.646        0.5142
(8) （｜ａｓｐ2nf｜＋｜ａｓｐ2nr｜）／ｆw 
0.150        0.124        0.108        0.1180 
(9) Ｌ1np／Ｌ1            0.027        0.028        0.029        0.028
(10) ｆ1／ｆt            1.495        1.489        1.523        1.4984 
(11) ｆ3／ｆt            0.379        0.384        0.375        0.3870 
(12) ｆ4／ｆt            0.599        0.563        0.574        0.5459 
(12) ｆt／ｆw            4.800        4.794        4.793        4.7947 
【０１８６】
次に、上記各実施例の効果について説明する。各実施例では、カメラの薄型化を行い易いように配慮された、５倍程度の高変倍比を持つズームレンズ光学系を実現している。また、撮影画像の画質は良好に維持されており、またＣＣＤやＣＭＯＳ等の電子撮像素子に適し、構成レンズ枚数の低減も達成したズームレンズ光学系を実現している。それにより、カメラの携帯性を損なうことなく従来よりも撮影領域を広げたいというユーザーの要望を満たすことが可能となる。
【０１８７】
なお、本発明や各実施例にて、明るさ絞りと一体で移動するシャッターユニットを備える構成とすると、シャッターユニットが大型化せずにすみ、明るさ絞りおよびシャッターユニットを移動させるときのデッドスペースが小さくてすむ。
またゴースト、フレア等の不要光をカットするために、明るさ絞り以外にフレア絞りを配置してもかまわない。
【０１８８】
フレア絞りは第１レンズ群の物体側、第１、２レンズ群間、第２、３レンズ群間、第３、４レンズ群間、第４レンズ群から像面間のいずれの場所に配置しても良い。
枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
【０１８９】
また各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【０１９０】
また、ピント調節を行うためのフォーカシングは第４レンズ群の移動で行うことが望ましい。第４レンズ群でフォーカシングを行うとレンズ重量が軽量なためモータにかかる負荷が少ない。さらに、フォーカシング時に全長が変化しないし、鏡枠内部に駆動モータを配置できるため、鏡枠のコンパクト化に有利である。上述のように第４レンズ群の移動によるフォーカシングが望ましいが、第１、２、３レンズ群でフォーカシングを行っても良い。また複数のレンズ群を移動してフォーカシングを行っても良い。またズームレンズ系全体を繰り出してフォーカシングを行っても良いし、一部のレンズを繰り出し、もしくは繰り込みしてフォーカシングしても良い。
【０１９１】
また、画像周辺部の明るさのかげり（シェーディング）をＣＣＤのマイクロレンズをシフトすることにより軽減しても良い。例えば、各像高における光線の入射角に合わせてＣＣＤのマイクロレンズの設計を変えても良い。また画像処理により画像周辺部の低下量を補正しても良い。
【０１９２】
また、意図的に光学系で歪曲収差を出しておき、撮影後に電気的に画像処理を行って歪みを補正してもかまわない。
ＲＧＢそれぞれの色の画像について個別に歪曲収差や倍率の補正を行えば、倍率の色収差も同時に電気的に補正できる。
【０１９３】
図１９〜図２１は、以上のようなズームレンズを撮影光学系１４１に組み込んだ本発明によるデジタルカメラの構成の概念図を示す。図１９はデジタルカメラ１４０の外観を示す前方斜視図、図２０は同後方正面図、図２１はデジタルカメラ１４０の構成を示す模式的な断面図である。ただし、図１９と図２１においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２１の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１９４】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０１９５】
このように構成されたデジタルカメラ１４０は、撮影光学系１４１が本発明により、沈胴時に厚みを極めて薄く、高変倍で全変倍域で結像性能を極めて安定的であるあるので、高性能・小型化・広角化が実現できる。
【産業上の利用可能性】
【０１９６】
本発明では、カメラの薄型化を行い易いように配慮された、５倍程度の高変倍比を持つズームレンズ光学系を実現できる。当然ながら撮影画像の画質は良好に維持されており、またＣＣＤやＣＭＯＳ等の電子撮像素子に有用である。
【図面の簡単な説明】
【０１９７】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】実施例１の無限遠物点合焦時の収差図である。
【図１１】実施例２の無限遠物点合焦時の収差図である。
【図１２】実施例３の無限遠物点合焦時の収差図である。
【図１３】実施例４の無限遠物点合焦時の収差図である。
【図１４】実施例５の無限遠物点合焦時の収差図である。
【図１５】実施例６の無限遠物点合焦時の収差図である。
【図１６】実施例７の無限遠物点合焦時の収差図である。
【図１７】実施例８の無限遠物点合焦時の収差図である。
【図１８】実施例９の無限遠物点合焦時の収差図である。
【図１９】本発明によるデジタルカメラの外観を示す前方斜視図である。
【図２０】図１９のデジタルカメラの後方斜視図である。
【図２１】図１９のデジタルカメラの断面図である。
【符号の説明】
【０１９８】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｉ…像面
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2008052116.tif 000003
【図２】
2008052116.tif 000004
【図３】
2008052116.tif 000005
【図４】
2008052116.tif 000006
【図５】
2008052116.tif 000007
【図６】
2008052116.tif 000008
【図７】
2008052116.tif 000009
【図８】
2008052116.tif 000010
【図９】
2008052116.tif 000011
【図１０】
2008052116.tif 000012
【図１１】
2008052116.tif 000013
【図１２】
2008052116.tif 000014
【図１３】
2008052116.tif 000015
【図１４】
2008052116.tif 000016
【図１５】
2008052116.tif 000017
【図１６】
2008052116.tif 000018
【図１７】
2008052116.tif 000019
【図１８】
2008052116.tif 000020
【図１９】
2008052116.tif 000021
【図２０】
2008052116.tif 000022
【図２１】
2008052116.tif 000023